(57)【要約】【課題】記録媒体を斜行させずに給紙できる給紙装置を提供する。【解決手段】軸受１００の凸部１１４ａを孔１３４に嵌め込んで軸受１００が変更中心位置に位置するように軸受固定板１３０に固定しておくと共に、レバー９０も給紙装置８０の壁に固定しておく。この状態で、レバー９０を矢印Ｃ方向に移動させて給紙ローラ軸８４を穴９２ａに差し込んでレバー９０に回転自在に固定すると共に、給紙ローラ軸８６を貫通孔１０２に差し込んで軸受１００に回転自在に固定する。給紙ローラ８２を取り付けた後、給紙装置８０で記録媒体を給紙して斜行の有無をテストする。記録媒体が斜行して給紙されたときは、斜行した方向に応じて軸受１００の凸部１１４ａをいずれかの穴１３１，１３２，１３３，１３５，１３６，１３７に差し込み変える。【選択図】　　　図５
2004043079.tif 000002
【特許請求の範囲】
【請求項１】
積載された複数枚の記録媒体のうち一番上の記録媒体を所定の給紙方向に給紙する給紙装置において、
前記給紙方向に交差する交差方向に延びる給紙ローラ軸を中心軸にして回転すると共に前記一番上の記録媒体に押し付けられることにより前記一番上の記録媒体を前記給紙方向に給紙する給紙ローラと、
前記給紙ローラ軸の長手方向一端部を回転自在に固定する軸受とを備え、
該軸受は、
前記給紙方向における前記長手方向一端部の位置を変更するものであることを特徴とする給紙装置。
【請求項２】
前記軸受は、
所定の変更中心位置を基準にして前記長手方向一端部の前記位置を変更するものであり、
前記給紙ローラ軸は、
前記軸受が前記変更中心位置に固定されたときに、前記給紙方向に直交するものであることを特徴とする請求項１に記載の給紙装置。
【請求項３】
前記軸受が嵌め込まれる軸受固定板を備え、
前記軸受は、
前記軸受固定板に嵌め込まれる向きを変更することにより、前記長手方向一端部の前記位置を変更するものであることを特徴とする請求項２に記載の給紙装置。
【発明の詳細な説明】
【０００１】
【発明の属する技術分野】
本発明は、記録媒体を所定の給紙方向に一枚ずつ給紙する給紙装置に関する。
【０００２】
【従来の技術】
従来から、静電転写方式やインクジェット方式など種々のタイプの画像形成装置が広く使用されている。これらの画像形成装置には、一般に、多数枚の記録媒体が積載される給紙カセットが着脱自在に装着されている。この給紙カセットからは記録媒体が一枚ずつ給紙されて、この給紙された記録媒体に画像が形成される。給紙カセットから記録媒体を一枚ずつ給紙するために、例えば給紙ローラと一対の分離爪とを備えた給紙装置が使用される。
【０００３】
上記のような給紙装置が組み込まれた画像形成装置の一例について、図１２から図１７までを参照して説明する。
【０００４】
図１２は、給紙カセットを模式的に示す側面図である。図１３は、記録媒体の搬送路を示す模式図である。図１４は、給紙ローラとその周辺部品を示す斜視図である。図１５は、給紙ローラを取り外すためにレバーを移動させた状態を示す斜視図である。図１６は、給紙ローラを取り外した状態を示す斜視図である。図１７は、斜行している記録媒体を示す平面図である。
【０００５】
画像形成装置の下部には、図１２に示すように、記録媒体Ｐが積載された給紙カセット１０が着脱自在に装着されている。給紙カセット１０のうち給紙方向（矢印Ａ方向）下流側部分には、記録媒体を一枚ずつ給紙するための給紙ローラ１２と分離パッド１４が配置されている。給紙ローラ１２よりも給紙方向下流側には、給紙ローラ１２と分離パッド１４によって分離されて給紙された記録媒体Ｐを給紙方向に搬送する一対の搬送ローラ１６が配置されている。搬送ローラ１６は中心軸１６ａを中心にして回転する。
【０００６】
搬送ローラ１６よりも給紙方向下流側には、図１３に示すように、搬送ローラ１６によって搬送される記録媒体Ｐを、後述するレジストローラ２０に案内するガイド部材１８が配置されている。ガイド部材１８よりも給紙方向下流側には一対のレジストローラ２０が配置されている。ガイド部材１８は、搬送ローラ１６とレジストローラ２０の間に延びている。レジストローラ２０よりも給紙方向下流側には、レジストローラ２０によって搬送された記録媒体Ｐを転写領域に案内するガイド部材２２が配置されている。転写領域は、感光ドラム２４と転写ローラ２６とが接触する部分に形成されており、感光ドラム２４に形成された現像像を記録媒体に転写するための領域である。
【０００７】
給紙カセット１０に積載されている記録媒体Ｐは給紙ローラ１２と分離パッド１４によって一枚ずつ給紙方向に給紙される。給紙された記録媒体Ｐは搬送ローラ１６に挟持されながら給紙方向にさらに搬送されて、ガイド部材１８に案内されながらレジストローラ２０に到達する。レジストローラ２０に到達した記録媒体Ｐは所定のタイミングで給紙方向に搬送されて、ガイド部材２２に案内されながら転写領域に到達し、この転写領域において記録媒体Ｐに現像像が転写される。その後は、周知のように、記録媒体Ｐが定着器（図示せず）に搬送され、この定着器では現像像を記録媒体Ｐに定着して排出する。
【０００８】
上記した給紙ローラ１２は、長期間の使用に起因して給紙性能が低下する。このため、給紙ローラ１２は交換できるように構成されている。この構成について説明する。
【０００９】
給紙ローラ１２は、給紙方向に交差する交差方向に延びる給紙ローラ軸１２ａを中心軸にして回転する。この回転によって記録媒体Ｐは一枚ずつ給紙方向に給紙される。給紙ローラ軸１２ａの一端部はレバー３０に回転自在に固定されている。レバー３０のボス部３２には、給紙ローラ軸１２ａの一端部が挿入されて自在に回転する穴（凹部）が形成されている。また、レバー３０は、ばねなどの付勢部材によって矢印Ｂ方向に付勢されている。一方、給紙ローラ軸１２ａの他端部は、画像形成装置本体の筐体２８に回転自在に固定されている。この他端部は、筐体２８に形成されたボス部２９に回転自在に差し込まれる。
【００１０】
給紙ローラ１２を取り外す際には、図１５に示すように、レバー３０を矢印Ｃ方向（矢印Ｂ方向とは反対の方向）に移動させて給紙ローラ軸１２ａの一端部をレバー３０から外す。これにより、図１６に示すように、給紙ローラ１２が取り外される。
【００１１】
【発明が解決しようとする課題】
上記したように給紙ローラ１２を取り外すことにより、新品の給紙ローラ１２’を装着できる。新品の給紙ローラ１２’を取り付けたとき、図１７に示すように、この給紙ローラ１２’が傾いて取り付けられることがある。この場合、給紙ローラ１２’によって給紙される記録媒体Ｐ’が斜行する（記録媒体が給紙される方向が正規の給紙方向に対して傾いている）おそれがある。このように記録媒体Ｐ’が斜行した場合、紙詰りの原因になったり、記録媒体Ｐ’に画像が傾いて形成されたりするおそれがある。
【００１２】
本発明は、上記事情に鑑み、記録媒体を斜行させずに給紙できる給紙装置を提供することを目的とする。
【００１３】
【課題を解決するための手段】
上記目的を達成するための本発明の給紙装置は、積載された複数枚の記録媒体のうち一番上の記録媒体を所定の給紙方向に給紙する給紙装置において、
（１）前記給紙方向に交差する交差方向に延びる給紙ローラ軸を中心軸にして回転すると共に前記一番上の記録媒体に押し付けられることにより前記一番上の記録媒体を前記給紙方向に給紙する給紙ローラと、
（２）前記給紙ローラ軸の長手方向一端部を回転自在に固定する軸受とを備え、（３）該軸受は、前記給紙方向における前記長手方向一端部の位置を変更するものであることを特徴とするものである。
【００１４】
ここで、
（４）前記軸受は、所定の変更中心位置を基準にして前記長手方向一端部の前記位置を変更するものであり、
（５）前記給紙ローラ軸は、前記軸受が前記変更中心位置に固定されたときに、前記給紙方向に直交するものであってもよい。
【００１５】
また、
（６）前記軸受が嵌め込まれる軸受固定板を備え、
（７）前記軸受は、前記軸受固定板に嵌め込まれる向きを変更することにより、前記長手方向一端部の前記位置を変更するものであってもよい。
【００１６】
【発明の実施の形態】
図面を参照して本発明の給紙装置の実施形態を説明する。
【００１７】
図１を参照して、本発明の給紙装置の一実施形態が組み込まれた画像形成装置の一例を説明する。
【００１８】
図１は、本発明の給紙装置の一実施形態が組み込まれた画像形成装置の概略構成を示す模式図である。
【００１９】
プリンタ５０の下部には、記録媒体Ｐが積載された給紙カセット５２が着脱自在に装着されている。この給紙カセット５２の真上には、記録媒体を積載できる給紙カセット５４が着脱自在に装着されている。従って、プリンタ５０は、２台の給紙カセット５２，５４が着脱自在に装着されるように構成されている。
【００２０】
また、プリンタ５０の上部には、パソコン等から送られてきた画像情報が担持する画像を書き込んでおく画像書き込み部５６が配置されている。画像書き込み部５６の斜め下方には、画像書き込み部５６に書き込まれた画像を記録媒体に記録する画像記録部５８が配置されている。画像記録部５８の上方には、この画像記録部５８において記録媒体に記録された画像を定着させる定着装置６０が配置されている。定着装置６０において画像が定着された記録媒体は、プリンタ５０の上面に形成された排紙トレイ６２に排出される。
【００２１】
上記した２台の給紙カセット５２，５４にはそれぞれ、記録媒体を給紙方向（矢印Ａ方向）に給紙する給紙装置８０，８０が備えられている。２台の給紙カセット５２，５４に備えられた給紙装置８０，８０は同一構造であるので、ここでは、給紙カセット５２に備えられた給紙装置８０を例に挙げて記録媒体の搬送経路について説明する。
【００２２】
給紙カセット５２のうち給紙方向（矢印Ａ方向）下流側部分には、記録媒体を一枚ずつ給紙するための給紙ローラ８２と分離パッド８４が配置されている。給紙ローラ８２よりも給紙方向下流側には、給紙ローラ８２と分離パッド８４によって分離されて給紙された記録媒体Ｐを給紙方向に搬送する一対の搬送ローラ６４Ａ，６４Ｂが配置されている。搬送ローラ６４Ｂは、搬送ローラ６４Ａに従動して回転する。
【００２３】
搬送ローラ６４Ａ，６４Ｂよりも給紙方向下流側には、この搬送ローラ６４Ａ，６４Ｂによって搬送される記録媒体Ｐを、後述する一対のレジストローラ６８Ａ，６８Ｂに案内するガイド部材６６Ａ，６６Ｂが配置されている。ガイド部材６６Ａは、搬送ローラ６４Ａとレジストローラ６８Ａの間を延びており、ガイド部材６６Ｂは、搬送ローラ６４Ｂとレジストローラ６８Ｂの間を延びている。
【００２４】
ガイド部材６６Ａ，６６Ｂよりも給紙方向下流側には一対のレジストローラ６８Ａ，６８Ｂが配置されている。レジストローラ６８Ｂは、レジストローラ６８Ａに従動して回転する。レジストローラ６８Ａ，６８Ｂよりも給紙方向下流側には、レジストローラ６８Ａ，６８Ｂによって搬送されてきた記録媒体Ｐを画像記録部５８に案内するガイド部材７０Ａ，７０Ｂが配置されている。
【００２５】
給紙カセット５２に積載されている記録媒体Ｐは給紙ローラ８２と分離パッド８４によって一枚ずつ給紙方向に給紙される。給紙された記録媒体Ｐは搬送ローラ６４Ａ，６４Ｂに挟持されながら給紙方向にさらに搬送されて、ガイド部材６６Ａ，６６Ｂに案内されながらレジストローラ６８Ａ，６８Ｂに到達する。レジストローラ６８Ａ，６８Ｂに到達した記録媒体Ｐは所定のタイミングで給紙方向に搬送されて、ガイド部材７０Ａ，７０Ｂに案内されながら画像記録部５８に到達し、この画像記録部５８において記録媒体Ｐに現像像が転写される。その後は、記録媒体Ｐが定着装置６０に搬送され、この定着装置６０では記録媒体Ｐに現像像が定着される。現像像が定着された記録媒体Ｐは排紙トレイ６２に排出される。
【００２６】
図２から図１１までを参照して給紙装置８０について説明する。
【００２７】
図２は、給紙ローラとその周辺の部材を斜め下方から見た斜視図である。図３は、給紙ローラとその周辺の部材は上方から見た平面図である。図４は、給紙ローラとレバーを示す斜視図である。図５は、給紙ローラを取り外した給紙装置を示す斜視図である。図６は、給紙ローラと軸受を示す斜視図である。図７は、変更中心位置に位置する軸受を示す正面図である。図８（ａ）は、凸部を上にした軸受を示す斜視図であり、（ｂ）は、凸部を上にした軸受を示す側面図であり、（ｃ）は、凸部を下にした軸受を示す斜視図であり、（ｄ）は、軸受が固定される軸受固定板を示す斜視図である。図９（ａ）は、凸部を下にして軸受固定板に固定された軸受を示す斜視図であり、（ｂ）は、変更中心位置に位置するように軸受固定板に固定された軸受を示す斜視図であり、（ｃ）は、凸部を傾けて軸受固定板に固定された軸受を示す斜視図である。図１０（ａ）は、変更中心位置に位置するように軸受固定板に固定された軸受を示す正面図であり、（ｂ）は、変更中心位置から外れて位置するように軸受固定板に固定された軸受を示す正面図である。図１１は、円筒部の中心位置と穴部の中心位置との位置関係を示すグラフである。
【００２８】
給紙ローラ８２は、給紙方向に交差する交差方向に延びる給紙ローラ軸８４，８６を中心軸にして回転する。給紙ローラ軸８４，８６は一直線上に配置されており、後述するように、給紙ローラ軸８４はレバー９０に回転自在に固定されると共に給紙ローラ軸８６は軸受１００に回転自在に固定される。給紙ローラ軸８４は給紙ローラ８２の左端面８２ａの中央から突出した円筒状のものであり、給紙ローラ軸８６は給紙ローラ８２の右端面８２ｂの中央から突出した円筒状のものである。
【００２９】
レバー９０は、給紙ローラ軸８４を回転自在に固定するものである。レバー９０には、給紙ローラ軸８４が回転自在に嵌め込まれるボス部９２が形成されている。このボス部９２には、図４に示すように、給紙ローラ軸８４が挿入されて自在に回転する穴９２ａ（凹部）が形成されている。また、レバー９０は、図２に示すように、ばねなどの付勢部材によって矢印Ｂ方向に付勢されている。このため、給紙ローラ軸８４はレバー９０から外れない。
【００３０】
給紙ローラ８２を取り外す際には、図２に示すように、レバー９０を矢印Ｃ方向（矢印Ｂ方向とは反対の方向）に移動させて給紙ローラ軸８４をボス部９２の穴９２ａから抜き出す。これにより、給紙ローラ８２が取り外される。
【００３１】
軸受１００は、給紙ローラ軸８６を回転自在に固定するものである。軸受１００には、給紙ローラ軸８６が回転自在に嵌め込まれる第１円筒部１１０と第２円筒部１２０が形成されている。第１円筒部１１０と第２円筒部１２０は一体に構成されており、両者を貫く貫通孔１０２が形成されている。給紙ローラ軸８６は、この貫通孔１０２に回転自在に差し込まれる。貫通孔１０２の横断面は円形である。なお、第１円筒部１１０の外径は第２円筒部１２０の外径よりも大きい。また、第１円筒部１１０の厚さ（肉厚）は第２円筒部１２０の厚さよりもやや薄い。
【００３２】
第１円筒部１１０と第２円筒部１２０がその周方向に回動するときは、図７に示す同一の中心１１２を中心にして回動する。第１円筒部１１０及び第２円筒部１２０の中心１１２と貫通孔１０２の中心１０２ａは、図７や図８に示すように、距離Ｌだけ互いにずれている。従って、第１円筒部１１０と第２円筒部１２０が所定角度（１８０°以下の角度）だけ回動した場合、貫通孔１０２は回動せずにほぼ平行移動することとなる。
【００３３】
第１円筒部１１０の外周面の一部からは、三角形状の突起１１４が第１円筒部１１０の直径方向に突出している。突起１１４の先端部の側面のうち第２円筒部１２０の側からは、半球状の凸部１１４ａが中心軸１１２に平行に突出している。この凸部１１４ａは、後述するように、軸受固定板１３０に形成された７つの穴１３１，１３２，１３３，１３４，１３５，１３６，１３７に選択的に嵌め込まれる。凸部１１４ａが穴１３１，１３２，１３３，１３４，１３５，１３６，１３７のいずれかに嵌め込まれることにより、軸受１００が軸受固定板１３０に固定されて位置決めされる。
【００３４】
第２円筒部１２０の外周面のうち突起１１４とは反対側の部分からは、抜け防止凸部１２２が第２円筒部１２０の直径方向に突出している。この抜け防止凸部１２２は、後述するように、軸受固定板１３０に形成された抜け防止凸部通過孔１４０を通過して軸受固定板１３０の反対側に位置する。これにより、軸受固定板１３０から軸受１００が抜け出ることが防止される。なお、図８に示すように、第２円筒部１２０の外周面のうち抜け防止凸部１２２が無い部分の肉厚Ｔは、軸受固定板１３０の肉厚Ｗよりも僅かに厚い。
【００３５】
軸受固定板１３０は、プリンタ５０の筐体の一部として形成されている。但し、軸受固定板１３０をプリンタ５０の筐体とは別体として形成してもよい。軸受固定板１３０には、第２円筒部１２０が差し込まれる円形の差込孔１４２が形成されている。従って、第２円筒部１２０の外径は差込孔１４２の内径よりも僅かに小さい。軸受固定板１３０には、差込孔１４２に連続して、図８（ｄ）に示すように、矩形の抜け防止凸部通過孔１４０が形成されている。軸受１００を軸受固定板１３０に固定する際には、軸受１００の抜け防止凸部１２２がこの抜け防止凸部通過孔１４０を通過する。
【００３６】
軸受固定板１３０には、差込孔１４２を中心にして放射状に穴１３１，１３２，１３３，１３４，１３５，１３６，１３７が形成されている。軸受１００の凸部１１４ａが穴１３１，１３２，１３３，１３４，１３５，１３６，１３７のいずれかに嵌め込まれることにより、軸受１００が軸受固定板１３０に固定されて位置決めされる。凸部１１４ａが孔１３４に嵌めこまれたときは、軸受１００が変更中心位置に固定されているときである。軸受１００が変更中心位置に固定されている場合に、給紙ローラ８２を軸受１００に固定すると共にレバー９０に固定したときは給紙ローラ軸８４，８６が給紙方向に直交する。従って、凸部１１４ａが穴１３４以外の穴１３１，１３２，１３３，１３５，１３６，１３７のいずれかに嵌め込まれたときは、軸受１００が変更中心位置以外の位置に固定されているときである。軸受１００が変更中心位置以外の位置に固定されている場合に、給紙ローラ８２を軸受１００に固定すると共にレバー９０に固定したときは給紙ローラ軸８４，８６が給紙方向に直交しないで交差する（ずれる）。
【００３７】
給紙ローラ８２を取り付ける手順を説明する。
【００３８】
軸受１００の抜け防止凸部１２２を軸受固定板１３０の抜け防止凸部通過孔１４０に通過させて、この状態で軸受１００を回転して軸受固定板１３０に固定する。続いて、図５に示すように、軸受１００の凸部１１４ａを孔１３４に嵌め込んで軸受１００が変更中心位置に位置するように軸受固定板１３０に固定しておくと共に、レバー９０も給紙装置８０の壁に固定しておく。この状態で、レバー９０を矢印Ｃ方向に移動させて給紙ローラ軸８４を穴９２ａに差し込んでレバー９０に回転自在に固定すると共に、給紙ローラ軸８６を貫通孔１０２に差し込んで軸受１００に回転自在に固定する。以上で、給紙ローラ８２が給紙装置８０に取り付けられる。
【００３９】
上記のようにして給紙ローラ８２を取り付けた後、給紙装置８０で記録媒体を給紙して斜行の有無をテストする。記録媒体が斜行して給紙されたときは、斜行した方向に応じて軸受１００の凸部１１４ａをいずれかの穴１３１，１３２，１３３，１３５，１３６，１３７に差し込み変える。これにより、軸受１００が軸受固定板１３０に嵌め込まれる向きが変更されて、給紙ローラ軸８６（本発明にいう給紙ローラ軸の長手方向一端部の一例である）は、図３の矢印Ｄ方向若しくはその反対方向に移動するので、給紙方向における給紙ローラ軸８６の位置が変更される。この結果、記録媒体を給紙する際の斜行を防止できることとなる。
【００４０】
給紙ローラ軸８６の移動量を説明する。
【００４１】
図１１に示すように、第１円筒部１１０と第２円筒部１２０の中心軸１１２が位置Ｅに位置しており、軸受１００を回転移動させる前（調整前）では貫通孔１０２の中心軸１０２ａが位置Ｆに位置しているものとする。また、軸受１００を回転移動させた後では中心軸１０２ａが位置Ｇに位置するものとする。
【００４２】
ここで、中心軸１１２と中心軸１０２ａとのずれ量をＬとし、軸受１００が回転移動したときの回転角度をα°とし、中心軸１０２ａが位置Ｆから位置Ｇに移動したときの水平方向の変位量をＸとし、中心軸１０２ａが位置Ｆから位置Ｇに移動したときの垂直方向の変位量をＹとする。このとき、
Ｘ＝Ｌ・ＳＩＮα　　　Ｙ＝Ｌ（１−ＣＯＳα）
と表される。
【００４３】
軸受１００に形成された凸部１１４ａが穴１３１，１３２，１３３，１３４，１３５，１３６，１３７のうちのいずれに差し込まれるかによって、角度αが変化する。角度αが変化することにより、ＸとＹの値が変わるので、給紙ローラ軸８６が移動することとなる。給紙ローラ軸８６が移動することにより、給紙ローラ８２の位置を調整できるので斜行を防止できる。なお、垂直方向の変位量Ｙは、給紙の際の斜行に関しては影響は無いと考えられる。このように給紙ローラ８２のアライメントずれに起因して発生する斜行を、給紙ローラのアライメントを調整することにより防止できる。
【００４４】
【発明の効果】
以上説明したように本発明の給紙装置では、給紙ローラ軸の長手方向一端部が回転自在に固定される位置を給紙方向において変更できる。従って、記録媒体が給紙方向からずれて給紙される（斜行して給紙される）ときは、給紙ローラ軸の長手方向一端部が回転自在に固定される位置を適宜に変更することにより、記録媒体が給紙方向に給紙されるように調整できる。この結果、記録媒体を斜行させずに給紙できることとなる。
【００４５】
ここで、前記軸受は、所定の変更中心位置を基準にして前記長手方向一端部の前記位置を変更するものであり、前記給紙ローラ軸は、前記軸受が前記変更中心位置に固定されたときに、前記給紙方向に直交するものである場合は、変更中心位置を基準にできるので、給紙ローラ軸の位置を調整し易い。
【００４６】
また、前記軸受が嵌め込まれる軸受固定板を備え、前記軸受は、前記軸受固定板に嵌め込まれる向きを変更することにより、前記長手方向一端部の前記位置を変更するものである場合は、簡易な構成で長手方向一端部の位置を変更できる。
【図面の簡単な説明】
【図１】本発明の給紙装置の一実施形態が組み込まれた画像形成装置の概略構成を示す模式図である。
【図２】給紙ローラとその周辺の部材を斜め下方から見た斜視図である。
【図３】給紙ローラとその周辺の部材は上方から見た平面図である。
【図４】給紙ローラとレバーを示す斜視図である。
【図５】給紙ローラを取り外した給紙装置を示す斜視図である。
【図６】給紙ローラと軸受を示す斜視図である。
【図７】変更中心位置に位置する軸受を示す正面図である。
【図８】（ａ）は、凸部を上にした軸受を示す斜視図であり、（ｂ）は、凸部を上にした軸受を示す側面図であり、（ｃ）は、凸部を下にした軸受を示す斜視図であり、（ｄ）は、軸受が固定される軸受固定板を示す斜視図である。
【図９】（ａ）は、凸部を下にして軸受固定板に固定された軸受を示す斜視図であり、（ｂ）は、変更中心位置に位置するように軸受固定板に固定された軸受を示す斜視図であり、（ｃ）は、凸部を傾けて軸受固定板に固定された軸受を示す斜視図である。
【図１０】（ａ）は、変更中心位置に位置するように軸受固定板に固定された軸受を示す正面図であり、（ｂ）は、変更中心位置から外れて位置するように軸受固定板に固定された軸受を示す正面図である。
【図１１】円筒部の中心位置と穴部の中心位置との位置関係を示すグラフである。
【図１２】給紙カセットを模式的に示す側面図である。
【図１３】記録媒体の搬送路を示す模式図である。
【図１４】給紙ローラとその周辺部品を示す斜視図である。
【図１５】給紙ローラを取り外すためにレバーを移動させた状態を示す斜視図である。
【図１６】給紙ローラを取り外した状態を示す斜視図である。
【図１７】斜行している記録媒体を示す平面図である。
【符号の説明】
５０　プリンタ
８２　給紙ローラ
８４，８６　給紙ローラ軸
１００　軸受
１３０　軸受固定板
【図１】
2004043079.tif 000003
【図２】
2004043079.tif 000004
【図３】
2004043079.tif 000005
【図４】
2004043079.tif 000006
【図５】
2004043079.tif 000007
【図６】
2004043079.tif 000008
【図７】
2004043079.tif 000009
【図８】
2004043079.tif 000010
【図９】
2004043079.tif 000011
【図１０】
2004043079.tif 000012
【図１１】
2004043079.tif 000013
【図１２】
2004043079.tif 000014
【図１３】
2004043079.tif 000015
【図１４】
2004043079.tif 000016
【図１５】
2004043079.tif 000017
【図１６】
2004043079.tif 000018
【図１７】
2004043079.tif 000019